(57)【要約】【課題】外部モニタを設けることなく、かつスクリーン上の表示を隠すことなく設定画面上で設定操作を行うことの可能なプロジェクタを提供する。【解決手段】設定画面上で各種設定を行うことが可能なプロジェクタ１００であって、プロジェクタ１００の筐体表面に設けられたタッチパネル付の表示部１１と、利用者による表示指示動作を検知する検知部１２と、検知部１２により表示指示動作が検知されたとき、表示部１１上に設定画面を表示させ、設定画面上で行われた利用者による接触操作に基づいて設定内容を判断し、その設定内容に応じてプロジェクタ１００の状態を変化させるＣＰＵ１０とを備えたものである。【選択図】        図２
2005017495.tif 000002
【特許請求の範囲】
【請求項１】
設定画面上で各種設定を行うことが可能なプロジェクタであって、
プロジェクタの筐体表面に設けられたタッチパネル付の表示部と、
利用者による表示指示動作を検知する検知部と、
前記検知部により表示指示動作が検知されたとき、前記表示部上に前記設定画面を表示させ、前記設定画面上で行われた利用者による接触操作に基づいて設定内容を判断し、その設定内容に応じてプロジェクタの状態を変化させる制御部とを備えたことを特徴とするプロジェクタ。
【請求項２】
設定画面上で各種設定を行うことが可能なプロジェクタであって、
プロジェクタの筐体表面に設けられたタッチパネル付の表示部と、
利用者による表示指示動作を検知する検知部と、
前記検知部により表示指示動作が検知されたとき、前記設定画面を前記表示部上に表示させる制御部とを備え、
前記設定画面には、複数の設定項目を示す複数の第１のアイコンが表示されており、前記制御部は、前記各第１のアイコンのうち、何れかの第１のアイコンに対して接触操作が行われると、その接触操作が行われた第１のアイコンに対応する設定項目を設定するにあたって、次に行うべき設定操作に係る第２のアイコンを前記設定画面上に表示させ、前記第２のアイコンに対して行われた接触操作に基づいて設定内容を判断し、その設定内容に応じてプロジェクタの状態を変化させることを特徴とするプロジェクタ。
【請求項３】
前記制御部は、前記設定画面に前記第１のアイコンを表示させるに先立って、現在のプロジェクタの状態に基づき、現在、設定可能な設定項目を決定し、前記第１のアイコンを設定画面を表示する際には、前記決定された設定項目を示す第１のアイコンのみを表示させ、前記決定された設定項目以外の設定項目を示す第１のアイコンについては表示させないようにしたことを特徴とする請求項２記載のプロジェクタ。
【請求項４】
前記制御部は、前記各第１のアイコンのうち、何れかの第１のアイコンに対して接触操作が行われた際、接触操作が行われなかった第１のアイコンについて、その表示状態を変えるとともにその第１のアイコンに対する操作を無効とすることを特徴とする請求項２又は請求項３記載のプロジェクタ。
【請求項５】
前記第２のアイコンはスクロールバーであり、前記制御部は、前記スクロールバーに対する接触操作に基づくスクロール量に合わせてプロジェクタの状態をリアルタイムに変化させることを特徴とする請求項２又は請求項４記載のプロジェクタ。
【請求項６】
前記設定画面は、前記第１のアイコン毎に、前記第２のアイコンを表示させる第２のアイコン表示領域をそれぞれ備え、前記制御部は、第２のアイコンを表示させる際には、前記接触操作が行われた第１のアイコンに対応する第２のアイコン表示領域に前記第２のアイコンを表示させるようにしており、前記各第２のアイコン表示領域に表示されるスクロールバーは、それぞれ互いに平行に設けられ、且つ、スクロールバーのスクロール量に基づく設定量の増減の方向が同じに設定されていることを特徴とする請求項５記載のプロジェクタ。
【請求項７】
前記設定項目の一つとして台形補正を行う項目を有し、前記第２のアイコンは、水平方向の補正量を指定するための水平方向に延びるスクロールバーと、垂直方向の補正量を指定するための垂直方向に延びるスクロールバーとの２つで構成されていることを特徴とする請求項２乃至請求項４の何れかに記載のプロジェクタ。
【請求項８】
前記各第１のアイコンのうち、接触操作が行われたアイコンに対応する設定項目を設定するにあたって、次に行うべき操作は、複数の選択項目の中から何れか一つを選択する選択操作であり、前記制御部は、前記複数の選択項目を示す複数のアイコンを、前記第２のアイコンとして設定画面上に表示させることを特徴とする請求項２乃至請求項４の何れかに記載のプロジェクタ。
【請求項９】
前記制御部は、前記設定画面に前記第２のアイコンを表示させるに先立って、現在のプロジェクタの状態に基づき、現在、選択可能な選択項目を決定し、前記第２のアイコンを設定画面を表示する際には、前記決定された選択項目を示す第２のアイコンのみを表示させ、前記決定された選択項目以外の項目を示す第２のアイコンについては、前記設定画面上に表示させないようにしたことを特徴とする請求項８記載のプロジェクタ。
【請求項１０】
前記設定画面において、前記第２のアイコン表示領域を前記第１のアイコン毎に設けるのに代えて、全ての前記第１のアイコンに共通して１つだけ設けるようにしたことを特徴とする請求項６記載のプロジェクタ。
【請求項１１】
前記プロジェクタの投写方向を前方としたとき、前記表示部の後方、右方、左方にそれぞれ前記検知部を配置し、前記制御部は、どの検知部で前記表示指示動作を検出したかに応じて前記設定画面を適宜の方向に回転させ、利用者の向きに合った表示を行うようにしたことを特徴とする請求項１乃至請求項１０の何れかに記載のプロジェクタ。
【請求項１２】
前記検出部は、利用者が手を近づける動作を前記表示指示動作として検知することを特徴とする請求項１乃至請求項１１の何れかに記載のプロジェクタ。
【請求項１３】
前記制御部は、前記検知部により表示指示動作が検知されたとき、前記表示部のバックライトを点灯させることを特徴とする請求項１乃至請求項１２の何れかに記載のプロジェクタ。
【請求項１４】
前記表示部は液晶表示部であることを特徴とする請求項１乃至請求項１３の何れかに記載のプロジェクタ。
【請求項１５】
前記検知部は、静電センサー、赤外線センサー、超音波センサー、電波式センサーの何れかであることを特徴とする請求項１乃至請求項１４の何れかに記載のプロジェクタ。
【発明の詳細な説明】
【０００１】
【発明の属する技術分野】
本発明は、プロジェクタに関するものである。
【０００２】
【従来の技術】
従来より、操作メッセージなどの各種メッセージを、状況に応じてスクリーン上又はプロジェクタに接続した外部モニタに切り替えて表示させることが可能なプロジェクタなどの画像表示装置がある（例えば、特許文献１参照）。
【０００３】
【特許文献１】
特開２００１−３５６７５７号公報
【０００４】
【発明が解決しようとする課題】
上記従来技術では、各種メッセージをスクリーン上に表示するようにしているため、プロジェクタにおける各種設定を行う場合には、その設定画面が、スクリーン上に表示されている画像に重ねて表示されることになり、画像全体が見えなくなってしまい好ましくない。このため、上記従来技術のように、状況に応じてメッセージの表示先を外部モニタとすることができるのは、この問題を解決する上で有効である。しかしながら、プロジェクタの他に、別途、外部モニタが必要となるため、装置構成が複雑化してしまうといった問題が残されている。
【０００５】
本発明は、このような点に鑑みなされたもので、外部モニタを設けることなく、かつスクリーン上の表示を隠すことなく設定画面上で設定操作を行うことの可能なプロジェクタを提供することを目的とする。
【０００６】
【課題を解決するための手段】
本発明に係るプロジェクタは、設定画面上で各種設定を行うことが可能なプロジェクタであって、プロジェクタの筐体表面に設けられたタッチパネル付の表示部と、利用者による表示指示動作を検知する検知部と、検知部により表示指示動作が検知されたとき、表示部上に設定画面を表示させ、設定画面上で行われた利用者による接触操作に基づいて設定内容を判断し、その設定内容に応じてプロジェクタの状態をに変化させる制御部とを備えたものである。このように構成することで、従来のようにスクリーン上に表示された画像の一部を隠すなどの不都合が無く、表示部上に表示された設定画面上で各種設定を行うことが可能となる。
【０００７】
また、本発明に係るプロジェクタは、設定画面上で各種設定を行うことが可能なプロジェクタであって、プロジェクタの筐体表面に設けられたタッチパネル付の表示部と、利用者による表示指示動作を検知する検知部と、検知部により表示指示動作が検知されたとき、設定画面を表示部上に表示させる制御部とを備え、設定画面には、複数の設定項目を示す複数の第１のアイコンが表示されており、制御部は、各第１のアイコンのうち、何れかの第１のアイコンに対して接触操作が行われると、その接触操作が行われた第１のアイコンに対応する設定項目を設定するにあたって、次に行うべき設定操作に係る第２のアイコンを設定画面上に表示させ、第２のアイコンに対して行われた接触操作に基づいて設定内容を判断し、その設定内容に応じてプロジェクタの状態をに変化させるものである。このように構成することで、従来のようにスクリーン上に表示された画像の一部を隠すなどの不都合が無く、表示部上に表示された設定画面上で各種設定を行うことが可能となる。さらに、利用者による第１のアイコンに対する操作が終わると、次に操作すべき第２のアイコンが表示されるため、設定操作に迷うことがなく、操作性を向上させることができる。
【０００８】
また、本発明に係るプロジェクタにおいて、制御部は、設定画面に第１のアイコンを表示させるに先立って、現在のプロジェクタの状態に基づき、現在、設定可能な設定項目を決定し、第１のアイコンを設定画面を表示する際には、決定された設定項目を示す第１のアイコンのみを表示させ、決定された設定項目以外の設定項目を示す第１のアイコンについては表示させないようにしたものである。このように、その時点において設定可能な第１のアイコンのみを表示することによって、設定できない設定項目の第１のアイコンを操作する等の無意味な操作が防止でき、操作性を向上させることが可能となる。
【０００９】
また、本発明に係るプロジェクタにおいて、制御部は、各第１のアイコンのうち、何れかの第１のアイコンに対して接触操作が行われた際、接触操作が行われなかった第１のアイコンについて、その表示状態を変えるとともにその第１のアイコンに対する操作を無効とするものである。これにより、設定画面においては、接触操作が行われた第１のアイコンと第２のアイコンとが通常状態で表示された状態となり、次に操作すべきアイコン（第２のアイコン）が明確化されるとともに、今回設定対象でない第１のアイコン（接触操作が行われなかった第１のアイコン）を操作するなどの無意味な操作の誘発を防止でき、操作性を向上させることが可能となる。
【００１０】
また、本発明に係るプロジェクタにおいて、第２のアイコンはスクロールバーであり、制御部は、スクロールバーに対する接触操作に基づくスクロール量に合わせてプロジェクタの状態をリアルタイムに変化させるものである。このように第２のアイコンとしてスクロールバーを用いることにより、利用者の感覚的な操によって設定項目の設定内容を調整可能となる。
【００１１】
また、本発明に係るプロジェクタにおいて、設定画面は、第１のアイコン毎に、第２のアイコンを表示させる第２のアイコン表示領域をそれぞれ備え、制御部は、第２のアイコンを表示させる際には、接触操作が行われた第１のアイコンに対応する第２のアイコン表示領域に第２のアイコンを表示させるようにしており、各第２のアイコン表示領域に表示されるスクロールバーは、それぞれ互いに平行に設けられ、且つ、スクロールバーのスクロール量に基づく設定量の増減の方向が同じに設定されているものである。これにより、操作し易くなり、操作性を向上することができる。
【００１２】
また、本発明に係るプロジェクタは、設定項目の一つとして台形補正を行う項目を有し、第２のアイコンは、水平方向の補正量を指定するための水平方向に延びるスクロールバーと、垂直方向の補正量を指定するための垂直方向に延びるスクロールバーとの２つで構成されているものである。このように、設定項目として具体的には台形補正について、水平方向と垂直方向とをそれぞれ別々のスクロールバーによって調整することが可能となる。
【００１３】
また、本発明に係るプロジェクタは、各第１のアイコンのうち、接触操作が行われたアイコンに対応する設定項目を設定するにあたって、次に行うべき操作は、複数の選択項目の中から何れか一つを選択する選択操作であり、制御部は、複数の選択項目を示す複数のアイコンを、第２のアイコンとして設定画面上に表示させるものである。このように、第２のアイコンとしては、複数の選択項目を示す複数のアイコンとしても良い。
【００１４】
また、本発明に係るプロジェクタにおいて、制御部は、設定画面に第２のアイコンを表示させるに先立って、現在のプロジェクタの状態に基づき、現在、選択可能な選択項目を決定し、第２のアイコンを設定画面を表示する際には、決定された選択項目を示す第２のアイコンのみを表示させ、決定された選択項目以外の項目を示す第２のアイコンについては、設定画面上に表示させないようにしたこものである。このように、その時点において設定可能な第２のアイコンのみを表示することによって、設定できない設定項目の第２のアイコンを操作する等の無意味な操作が防止でき、操作性を向上させることが可能となる。
【００１５】
また、本発明に係るプロジェクタは、設定画面において、第２のアイコン表示領域を第１のアイコン毎に設けるのに代えて、全ての第１のアイコンに共通して１つだけ設けるようにしたものである。このようにすることは、液晶表示部の外形が小型な場合に有効である。
【００１６】
また、本発明に係るプロジェクタは、プロジェクタの投写方向を前方としたとき、表示部の後方、右方、左方にそれぞれ検知部を配置し、制御部は、どの検知部で表示指示動作を検出したかに応じて設定画面を適宜の方向に回転させ、利用者の向きに合った表示を行うようにしたものである。これにより、どの位置から操作しても、常に見やすい設定画面上で設定操作が行えるようになり、使い勝手の良いプロジェクタを提供できる。
【００１７】
また、本発明に係るプロジェクタにおいて、検出部は、利用者が手を近づける動作を前記表示指示動作として検知するものである。このように、表示指示動作として、検知部に利用者が手を近づける動作を採用できる。
【００１８】
また、本発明に係るプロジェクタにおいて、制御部は、検知部により表示指示動作が検知されたとき、表示部のバックライトを点灯させるものである。ここで、このバックライトは、暗い環境においても表示が見えるようにするためのものであり、このように、バックライトを点灯させることにより、プロジェクタの使用環境である暗い環境下においても表示部上の設定画面を良好に確認でき、使い勝手の良いプロジェクタを提供できる。
【００１９】
また、本発明に係るプロジェクタにおいて、表示部は液晶表示部であるものである。このように、表示部として、液晶表示部を用いることができる。
【００２０】
また、本発明に係るプロジェクタにおいて、検知部は、静電センサー、赤外線センサー、超音波センサー、電波式センサーの何れかである。このように、検知部としては、静電センサー、赤外線センサー、超音波センサー、電波式センサーの何れかを用いることができる。
【００２１】
【発明の実施の形態】
以下、本発明の一実施の形態の図面に基づいて説明する。
まず、本発明の要部の説明に先だって、プロジェクタの光学系の構成について説明する。
【００２２】
図３は、プロジェクタ１００の光学系を示す構成図であり、この図３を参照しながら、その光学系の構成および作用を以下に説明する。
【００２３】
この光学系は、照明光学系２３、色光分離光学系８、リレー光学系２５、液晶パネル２Ｒ，２Ｇ，２Ｂ、色光合成のためのクロスダイクロイックプリズム９、および投写レンズ３などから構成されている。
【００２４】
照明光学系２３は、ランプ１、リフレクタ２０、インテグレータレンズを構成する第１および第２レンズアレイ２１，２２、光の進行方向を調整する反射ミラー３１、および重畳レンズ３２を備えている。なお、照明光の進行方向の調整が不要な構成の場合には反射ミラー３１は不要である。
【００２５】
第１レンズアレイ２１は、略矩形状の輪郭を有する小レンズ２１１がＭ行Ｎ列のマトリクス状に配列された構成を有している。各小レンズ２１１は、ランプ１から入射された平行な光束を複数の（すなわちＭ×Ｎ個の）部分光束に分割し、各部分光束を第２レンズアレイ２２の近傍で結像させる。各小レンズ２１１の輪郭の形状は、液晶パネル２Ｒ，２Ｇ，２Ｂの画像形成領域の形状とほぼ相似形をなすように設定されている。例えば、液晶パネルの画像形成領域のアスペクト比（横と縦の寸法の比率）が４：３であるならば、各小レンズのアスぺクト比も４：３に設定される。
また、第２レンズアレイ２２も、第１レンズアレイ２１の小レンズ２１１に対応して、小レンズ２２１がＭ行Ｎ列のマトリクス状に配列された構成を有している。
【００２６】
色光分離光学系８は、２枚のダイクロイックミラー４１，４２と反射ミラー４３とを備え、照明光学系２３の重畳レンズ３２から出射される光を、赤、緑、青の３つの色光に分離する機能を有している。
リレー光学系２５は、ダイクロイックミラー４２からの透過光に対応する光路で、入射側レンズ５４、反射ミラー７１，７２、およびリレーレンズ７３を備えている。
【００２７】
液晶パネル２Ｒ，２Ｇ，２Ｂは、例えば、ポリシリコンＴＦＴをスイッチング素子として用いたもので、クロスダイクロイックプリズム９の３側面と対向するように、クロスダイクロイックプリズム９に固定部材を介して接着固定されている。また、各液晶パネル２Ｒ，２Ｇ，２Ｂの光入出射面側には、入射側偏光板６０Ｒ，６０Ｇ，６０Ｂが、そして光出射面側には出射側偏光板６１Ｒ，６１Ｇ，６１Ｂがそれぞれ配置されている。
【００２８】
クロスダイクロイックプリズム９は、赤、緑，青の３色の色光を合成してカラー画像を形成するもので、赤光を反射する誘電体多層膜と、青光を反射する誘電体多層膜とが、４つの直角プリズムの界面に沿って略Ｘ字状に形成され、これらの誘電体多層膜によって上記３つの色光が合成される。そして、クロスダイクロイックプリズム９の出射面側に、投写レンズ３が配置されている。
【００２９】
続いて、上記光学系の作用を説明する。ランプ１から射出された光はリフレクタ２０で反射されて、第１および第２レンズアレイ２１，２２で構成されるインテグレータレンズに入る。インテグレータレンズは、第１レンズアレイ２１の各レンズセルで形成される像を、第２レンズアレイ２２および重畳レンズ３２により各液晶パネル２Ｒ，２Ｇ，２Ｂの画像表示面に結像させることで、光の利用率を向上させかつ照明むらを改善する作用を果たす。そして、重畳レンズ３２を出た光は、続いて色光分離光学系８に入る。
【００３０】
色光分離光学系８の第１ダイクロイックミラー４１では、照明光学系２３から出射された光束の赤色光成分を反射するとともに、青色光成分と緑色光成分とを透過させる。第１ダイクロイックミラー４１によって反射した赤色光は、反射ミラー４３を介して、フィールドレンズ５１に入り、さらに赤色光用の液晶パネル２Ｒに達する。このフィールドレンズ５１は、各部分光束をその中心軸（主光線）に対して平行な光束に変換する。他の液晶パネル２Ｇ，２Ｂの前に設けられたフィールドレンズ５２，５３も同様に作用する。
【００３１】
第１ダイクロイックミラー４１を透過した青色光と緑色光のうちで、緑色光は第２ダイクロイックミラー４２によって反射し、フィールドレンズ５２を通って緑色光用の液晶パネル２Ｇに達する。一方、青色光は第２ダイクロイックミラー４２を透過してリレー光学系２５を通り、さらにフィールドレンズ５３を通って青色光用の液晶パネル２Ｂに達する。
【００３２】
色光分離光学系８で分離された赤、緑、青の各色光は、液晶パネル２Ｒ，２Ｇ，２Ｂに入射するにあたり、入射側偏光板６０Ｒ，６０Ｇ，６０Ｂで特定の偏光光のみとされる。この後、各偏光光は、各液晶パネル２Ｒ，２Ｇ，２Ｂにおいて画像処理回路２Ａより与えられた画像情報に従って変調され、変調光として出射側備光板６１Ｒ，６１Ｇ，６１Ｂに出射される。この出射側偏光板６１Ｒ，６１Ｇ，６１Ｂにおいては、変調光のうちの特定の偏光光のみが透過し、クロスダイクロイックプリズム９に入射する。そして、各色光はクロスダイクロイックプリズム９で合成されて合成光となり、投写レンズ３からスクリーン２００にカラー画像として投写される。
【００３３】
なお、照明光学系２３の所定位置、例えば、第２レンズアレイ２２と重畳レンズ３２との間に、ランプ１からのＰ偏光およびＳ偏光の双方を含む照明光を、その一方の偏光光に揃える偏光ビームスプリッタを配置すると、液晶パネル２Ｒ，２Ｇ，２Ｂにおいて、ランプ１から入射した光を無駄にすることなく、そのほぼ全てを利用することが可能となる。
【００３４】
以上の説明によりプロジェクタの光学系の構成が明らかになったところで、以下に、本発明の特徴部分について説明する。
【００３５】
実施の形態１．
図１は本発明の実施の形態１に係るプロジェクタの外観斜視図である。
プロジェクタ１００の筐体表面には、タッチパネル付の表示部１１が設けられている。この表示部１１には、暗い環境においても表示が見えるようにするためのバックライトも更に付加された構成となっている。また、この表示部１１は、本例では液晶表示部で構成されている。本発明は、この表示部１１上に、プロジェクタ１００における各種設定を行うための設定画面を表示させることで、スクリーン２００上に設定画面が表示されて投写映像が隠される不都合を防止することに特徴がある。また、筐体表面において表示部１１の近傍には、設定画面を表示部１１上に表示させるために利用者により行われる表示指示動作を検知する検知部１２が設けられている。この表示指示動作は、本例では検知部１２に手を近づける動作であるとし、検知部１２は、その動作を検知可能なセンサ、例えば赤外線センサー、超音波センサー、電波式センサー等で構成されている。なお、検知部１２は、利用者による何らかの動作を検出できるものであればよく、他に静電センサーなどで構成してもよい。
【００３６】
図２は、プロジェクタの主な構成を示すブロック図である。このプロジェクタ１００は、図示するように、照明光源としてのランプ１、ランプ１の照明光を、赤（Ｒ）、緑（Ｇ）、青（Ｂ）の光に分離する色光分離光学系８、分離された各色光がそれぞれ照射され所定の画像情報に従って画像を表示する光変調素子としての液晶パネル２Ｒ，２Ｇ，２Ｂ、これらの各液晶パネルで生成された画像を合成するクロスダイクロイックプリズム９、合成された画像を投写する投写レンズ３を備える。プロジェクタ１００は、また、ランプ１を駆動するランプ駆動回路１Ａ、液晶パネル２Ｒ，２Ｇ，２Ｂに画像情報を供給する画像処理回路２Ａ、音声を出力するスピーカ４、スピーカ４に音声情報を供給する音声処理回路４Ａ、ランプ１および／または液晶パネル２Ｒ，２Ｇ，２Ｂを冷却するためのファン５、ファン５を駆動するためのファン駆動回路５Ａ、ユーザーインターフェース６、以下に詳述する各設定画面の画像データや本実施の形態の動作を実現するための制御プログラムなどを記憶する記憶部７、そして、ランプ駆動回路１Ａ、画像処理回路２Ａ、音声処理回路４Ａ、ファン駆動回路５Ａ、並びにユーザーインターフェース６を制御する中央処理装置（ＣＰＵ）（制御部）１０を備える。
【００３７】
この実施の形態ではさらに、上述したようにタッチパネル及びバックライト付の表示部１１と検知部１２とを備えている。これらはユーザーインターフェース６に接続されており、表示部１１上で行われた操作の操作信号、及び検知部１２における検知信号は、ユーザーインターフェース６を介してＣＰＵ１０に入力されるようになっている。また、各入力ソース（Ｖｉｄｅｏ，Ｓ−Ｖｉｄｅｏ，ＢＮＣ，ＰＣ，ＤＶＩ）の中から、一つを選択する入力ソース切替部１３を備えている。この入力ソース切替部１３もユーザーインターフェース６に接続されており、選択された入力ソースからの画像信号が投写表示されるようになっている。
【００３８】
上記のプロジェクタ１００は、ランプ駆動回路１Ａによりランプ１が点灯される。そして、ランプ１からの照明光を色光分離光学系８で赤（Ｒ）、緑（Ｇ）、青（Ｂ）の色光に分離させ、分離した各色光を画像のＲＧＢ信号のそれぞれに対応して設けられた液晶パネル２Ｒ，２Ｇ，２Ｂに照射して画像を表示させた後、それぞれの画像をクロスダイクロイックプリズム９で合成して、その合成画像を投写レンズ３からスクリーン２００などに投写するようにしたものである。また、その画像表示に合わせて、音声処理回路４Ａからの音声情報に従ってスピーカ４から音声が出力される。さらに、主電源がＯＮされている間は、ファン駆動回路５Ａによりファン５が駆動され、プロジェクタ内部の温度が予め定められた所定値以下に保たれるようになっている。なお、ファン５の駆動は、通常、内部の温度状況に対応してＣＰＵ１０などにより自動的に制御されている。
【００３９】
次に、実施の形態１のプロジェクタの特徴部分の動作を説明する。なお、以下に説明する動作は、ＣＰＵ１０が記憶部７内の制御プログラムを実行することにより実現されるものである。また、ここでは音量調整を行う場合、明るさ調整を行う場合、台形補正を行う場合、入力ソースの切替を行う場合のそれぞれについて順に説明する。
【００４０】
＜音量調整＞
図４は、音量調整を行う場合の画面遷移を示す図である。
【００４１】
本実施の形態１の動作は、（ａ）に示すように表示部１１のバックライトが消灯した状態において、利用者が検知部１２（図１参照）に手を近づける動作を行うところから始まる。そして、この利用者の動作を検知部１２が検知すると、その検知信号がＣＰＵ１０に送られ、ＣＰＵ１０は、検知信号を受信すると、表示部１１のバックライトを点灯させるとともに、（ｂ）に示すように、複数の第１のアイコン３００〜３０３を有する設定画面を表示部１１上に表示させる。各第１のアイコン３００〜３０３は、設定画面上で設定可能な各設定項目を示すもので、図４の例では、台形補正アイコン３００と、音量調整アイコン３０１と、明るさ調整アイコン３０２と、入力ソース切替アイコン３０３との４種類のアイコンが表示されている。
【００４２】
そして、（ｃ）に示すように、利用者により音量調整アイコン３０１が選択押下されると、ＣＰＵ１０は、音量調整アイコン３０１が押下されたと判断し、（ｄ）に示すように、押下された音量調整アイコン３０１が示す設定項目を設定する際に、すなわち音量調整を行う際に、次に行うべき設定操作に係る第２のアイコン３１１ａを、後述の対応の第２のアイコン表示領域３１１に表示する。ここで、音量は、増減により調整するものであるため、第２のアイコンを本例においてはスクロールバーで構成している。
【００４３】
ところで、設定画面においては、（ｄ）に示すように、各アイコン３００〜３０３毎にそれぞれ第２のアイコンを表示させるための第２のアイコン表示領域３１０〜３１３が設けられている。そして、第２のアイコンの表示は、（ｂ）に示した画面において押下された第１のアイコンに対応する第２のアイコン表示領域に行われるようになっている。従って、今回の音量調整では、第２のアイコンとしてのスクロールバー３１１ａは、上述したように第２のアイコン表示領域３１１に表示されることになる。なお、（ｄ）において、第２のアイコン表示領域３１０〜３１３を示す点線は、説明のために図示したものであって、設定画面上には表示されないものである。また、ＣＰＵ１０は、（ｄ）に示したように、利用者により選択されなかった他のアイコン３００、３０２、３０３については、その表示を例えば薄色表示にするとともに、その各アイコン３００、３０２、３０３に対する操作を無効とする。これにより、設定画面においては、接触操作が行われた音量調整アイコン３０１とスクロールバー３１１ａのみが通常状態で表示された状態となるため、次に操作すべきアイコンがスクロールバー３１１ａであることが明確化されるとともに、今回設定対象でない他のアイコン３００、３０２、３０３を操作するなどの無意味な操作の誘発を防止でき、操作性を向上させることが可能となっている。
【００４４】
ここで、スクロールバーは、（ｄ）に示したように、短冊状の部分の内部にスクロールカーソルＣを有する構成のものであり、そのスクロールカーソルＣが指で移動させられることにより、そのスクロール量に基づいて該当設定項目の設定量が決定されるようになっている。ＣＰＵ１０は、（ｅ）に示すように利用者によってスクロールバー３１１ａのスクロールカーソルＣがスクロールされると、そのスクロール量に基づいて音声処理回路４Ａを制御し、スクロール量に合わせて音量をリアルタイムに変化させる。なお、スクロールバー３１１ａは、スクロールカーソルＣを手前側に移動させることにより設定量すなわちここでは音量を小さく設定し、奥側に移動させることにより音量を大きく設定するようになっている。なお、このようなスクロールバーを用いることは、利用者の感覚的な操作によって調整が可能となり、操作性向上に効果がある。
【００４５】
以上のようにして利用者による設定画面上での設定操作が終了し、（ｆ）に示すように利用者が設定画面上から手を離してから所定時間が経過すると、ＣＰＵ１０は、（ｇ）に示すように全ての表示を表示部１１上の設定画面から画面から消去するとともに、バックライトを消灯させる。
【００４６】
＜明るさ調整＞
図５は、明るさ調整を行う場合の画面遷移を示す図である。
図５（ａ）と（ｂ）までの流れは、音量調整の場合の図４の（ａ）と（ｂ）までと同様であるため説明を省略する。明るさ調整においては、（ｃ）に示すように、利用者により明るさ調整アイコン３０２が選択押下されると、ＣＰＵ１０は、（ｄ）に示すように、明るさ調整アイコン３０２が示す設定項目を設定する際に、すなわち明るさ調整を行う際に、次に行うべき設定操作に係る第２のアイコン３１２ａを、対応の第２のアイコン表示領域３１２に表示するとともに、利用者により選択されなかった他のアイコン３００、３０１、３０３の表示を例えば薄色表示にするとともに、その各アイコン３００、３０１、３０３に対する操作を無効とする。なお、明るさ調整も、増減により調整するものであるため、第２のアイコン３１２ａはスクロールバーで構成している。
【００４７】
そして、（ｅ）に示すように、利用者の指によってスクロールバー３１２ａが操作されると、ＣＰＵ１０は、スクロールカーソルＣのスクロール量に基づいて画像処理回路２Ａを制御し、スクロール量に合わせて投写画面の明るさをリアルタイムに変化させる。なお、スクロールバー３１２ａは、スクロールカーソルＣを手前側に移動させることにより設定量すなわちここでは明るさを暗くし、奥側に移動させることにより明るさを増す設定を行うようになっている。
【００４８】
以上のようにして設定を行った後の（ｆ）及び（ｇ）に示す画面に係る処理は上記と同様であるため、説明を省略する。
【００４９】
＜台形補正＞
図６は、台形補正を行う場合の画面遷移を示す図である。
図６（ａ）と（ｂ）までの流れは、音量調整の場合の図４の（ａ）と（ｂ）までと同様であるため説明を省略する。
ところで、本例のプロジェクタ１００は、台形補正において水平方向と垂直方向のそれぞれを別々に補正可能に構成されている。そして、（ｃ）に示すように、利用者により台形補正アイコン３００が選択押下されたとき、ＣＰＵ１０は、（ｄ）に示すように、台形補正アイコン３００が示す設定項目を設定する際に、すなわち台形補正を行う際に、次に行うべき設定操作に係る第２のアイコン３２０を、対応の第２のアイコン表示領域３１０に表示するとともに、利用者により選択されなかった他のアイコン３０１〜３０３の表示を例えば薄色表示にするとともに、その各アイコン３０１〜３０３に対する操作を無効とする。
【００５０】
ここで、台形補正を行う際の第２のアイコン３２０は、水平方向調整用のスクロールバー３２０ａと垂直方向調整用のスクロールバー３２０ｂの２つで構成されており、スクロールバー３２０ａは、水平に延びるように表示され、スクロールバー３２０ｂは、垂直に延びるように表示するようにしている。このように表示することで、利用者が感覚的に調整し易いようになっている。
【００５１】
そして、（ｅ）に示すように、利用者の指によって例えばスクロールバー３２０ｂが操作されると、ＣＰＵ１０は、そのスクロール量に基づいて補正演算を行い、画像処理回路を制御して、その補正演算の結果を投写画像にリアルタイムに反映させる制御を行う。
【００５２】
以上のようにして設定を行った後の（ｆ）及び（ｇ）に示す画面に係る処理は上記と同様であるため、説明を省略する。
【００５３】
＜入力ソースの切替＞
図７は、入力ソースの切替を行う場合の画面遷移を示す図である。
図７（ａ）と（ｂ）までの流れは、音量調整の場合の図４の（ａ）と（ｂ）までと同様であるため説明を省略する。入力ソースの切替においては、（ｃ）に示すように、利用者により入力ソース切替アイコン３０３が押下されると、ＣＰＵ１０は、（ｄ）に示すように、入力ソース切替アイコン３０３が示す設定項目を設定する際に、すなわち入力ソース切替を行う際に、次に行うべき設定操作に係る第２のアイコン３３０を、入力ソースの切替アイコン３０３に対応する第２のアイコン表示領域３１に表示するとともに、利用者により選択されなかった他のアイコン３００〜３０２の表示を例えば薄色表示にするなどして操作不可の状態とする。
【００５４】
ここで、入力ソースの切替の場合、入力ソース切替アイコン３０３を押下した後に、次に行うべき操作とは、各入力ソース（Ｖｉｄｅｏ，Ｓ−Ｖｉｄｅｏ，ＢＮＣ，ＰＣ，ＤＶＩ）の中から、何れか一つを選択する選択操作である。よって、設定画面上には、第２のアイコン３３０として、各入力ソースを示す各アイコン３３０ａ〜３３０ｅが表示される。
【００５５】
そして、第２のアイコン３３０のうち、（ｅ）に示すように、利用者の指によって何れか一つのアイコン、ここではＰＣアイコン３３０ｄが選択押下されると、ＣＰＵ１０は、入力ソース切替部１３を制御して、ＰＣからの画像データを投写表示させるように制御する。
【００５６】
以上のようにして設定を行った後の（ｆ）及び（ｇ）に示す画面に係る処理は上記と同様であるため、説明を省略する。
【００５７】
なお、図７では、入力ソース切替アイコン３０３が押下されたとき、各アイコン３３０ａ〜３３０ｅを一度に表示するようにしたが、入力ソース切替アイコン３０３が押下される度に、各アイコン３３０ａ〜３３０ｅの何れか１つを順次表示するようにしても良い。
【００５８】
以上説明したように、本実施の形態１によれば、プロジェクタ１００の筐体表面に設けた表示部１１上に設定画面を表示するようにしたので、従来のように、設定画面によってスクリーン上に表示された画像の一部を隠すことが無くなり、使い勝手の良いプロジェクタを得ることができる。
【００５９】
また、利用者によるある一つの操作が終わると、次に操作すべき内容を示す画面が表示されるため、設定操作に迷うことがなく、操作性を向上させることができる。すなわち、第１のアイコンに対する操作が終わると、次に操作すべき第２のアイコンを表示するようにしたことによって、必要なときに必要なだけのアイコンが表示された状態となるため、誤った設定操作の誘発を防止でき、操作性を向上させることができる。
【００６０】
また、増減により調整を行う設定項目（音量調整、明るさ調整、台形補正）については、第２のアイコンをスクロールバーで構成したので、利用者は感覚的な操作により調整することができ、使い勝手の良いプロジェクタ１００を提供できる。
【００６１】
ところで、第２のアイコン表示領域３１０〜３１２に表示されるスクロールバー３１１ａ、３１２ａ、３２０（スクロールバー３２０ａ（図６（ｄ）参照）は除く）は、互いに平行に設けられており、且つ、スクロールバーにおけるスクロールカーソルＣのスクロール量に基づく設定量の増減の方向が同じに設定されている。すなわち、音量調整のためのスクロールバー３１１ａについては、上述したように、音量を小さくする場合には、スクロールカーソルＣを手前側に移動させ、大きくする場合には奥側に移動させるようにしており、また、明るさ調整のためのスクロールバー３１２ａについても同様に、明るさを暗くする場合には、上述したように、スクロールカーソルＣを手前側に移動させ、明るさを増したい場合には奥側に移動させるようになっている。このように、設定量の増減の方向を同じに設定することにより、操作し易くなり、操作性を向上することができる。
【００６２】
また、設定操作の際には、表示部１１のバックライトが点灯するため、プロジェクタの使用環境である暗い環境下においても表示部１１上の設定画面を良好に確認でき、使い勝手の良いプロジェクタを提供できる。
【００６３】
実施の形態２．
実施の形態２は、設定画面に第１のアイコンを表示させるに先立って、現在のプロジェクタ１００の状態に基づき、現在、設定可能な設定項目を決定し、設定画面に第１のアイコンを表示する際には、決定された設定項目を示す第１のアイコンのみを表示させ、決定された設定項目以外の設定項目を示す第１のアイコンについては表示させないようにしたものである。
また、第２のアイコンとして複数の選択項目を示す複数のアイコンを設定画面上に表示させる場合も同様に、設定画面に第２のアイコンを表示させるに先立って、現在のプロジェクタ１００の状態に基づき、現在、選択可能な各選択項目を決定し、設定画面に第２のアイコンを表示する際には、決定された選択項目を示す第２のアイコンのみを表示させ、決定された選択項目以外の項目を示す第２のアイコンについては、設定画面上に表示させないようにしたものである。
【００６４】
以下、実施の形態２の動作について説明する。なお、本実施の形態２のプロジェクタ内部の構成は図２と同様であるため、その説明を省略する。また、実施の形態２の動作の全体の流れは、実施の形態１と基本的には同様であるので、以下では、実施の形態２が実施の形態１と相違する部分を中心に説明する。
【００６５】
図８は、実施の形態２の動作を説明するための画面遷移を示す図である。なお、ここでは、プロジェクタ１００に音声信号ケーブルが接続されていない場合を想定する。
（ａ）に示すように表示部１１のバックライトが消灯した状態において、利用者によって検知部１２（図１参照）に手を近づける動作が行われた場合、ＣＰＵ１０は、検知部１２から検知信号を受信する。そして、検知信号を受信したＣＰＵ１０は、現在、プロジェクタ１００には音声信号ケーブルが接続されていないことから、音声調整はできないと判断し、（ｂ）に示すように、台形補正アイコン３００と、明るさ調整アイコン３０２と、入力ソース切替アイコン３０３のみを設定画面上に表示させ、音量調整アイコン３０１については表示しないように制御する。
【００６６】
図９は、実施の形態２の動作を説明するための別の画面遷移を示す図である。なお、ここでは、入力ソースとしてＶｉｄｅｏとＰＣだけが接続されている場合を想定する。
この場合、利用者が検知部１２に手を近づける動作が検知部１２によって検知された後、（ａ）に示すように、台形補正アイコン３００と、音量調整アイコン３０１と、明るさ調整アイコン３０２と、入力ソース切替アイコン３０３とを有する設定画面が表示される。そして、ここでは入力ソース切替アイコン３０３が押下されると、ＣＰＵ１０は、現在、ＶｉｄｅｏとＰＣ以外は使用できないことから、（ｂ）に示すように、Ｖｉｄｅｏアイコン３３０ａとＰＣアイコン３３０ｃのみを表示させ、使用できないＳ−Ｖｉｄｅｏ，ＢＮＣ，ＤＶＩを示すアイコンについては表示しないように制御する。
【００６７】
以上のように、本実施の形態２によれば、設定できない設定項目又は選択できない選択項目を示すアイコンについては設定画面上に表示しないようにしたので、必要なアイコンのみが表示されるため、設定又は選択できない項目のアイコンを操作する等の無意味な操作が防止でき、操作性を向上させることが可能となる。
【００６８】
実施の形態３．
本実施の形態３は、利用者がどちらの方向から手を近づける動作を行うかに応じて設定画面を適宜の方向に回転させ、常に、利用者の向きに合った表示を行うようにしたものである。
【００６９】
実施の形態３のプロジェクタ１００においては、図１０に示すように、プロジェクタ１００の投写方向を前方としたとき、表示部１１の後方、右方、左方にそれぞれ検知部１２（１２ｂ、１２ｒ、１２ｌ）を配置する。ＣＰＵ１０は、どの検知部１２から検出信号を受信するかに応じて設定画面を適宜回転させる制御を行う。以下、図を用いて具体的に説明する。なお、実施の形態３の動作の全体の流れは、実施の形態１と基本的には同様であるので、以下では、実施の形態３が実施の形態１と相違する部分を中心に説明する。
【００７０】
図１１は、実施の形態３の動作を説明するための画面遷移を示す図である。
ここで、例えば利用者がプロジェクタ１００の左側から手を近づける動作を行うと、検知部１２ｌがこの動作を検知し、検知信号をＣＰＵ１０に出力する。ＣＰＵ１０は、検知部１２ｌから検知信号を受信した場合の設定画面の向きとして予め定められた向きを向くように設定画面を回転させる。これは、プロジェクタ１００の左側から手が近づけられる動作が行われた場合には、利用者がプロジェクタ１００の左側面１００ｌ（図１０参照）に向かい合うようにして立って操作しているものと想定して、利用者の向きに合うように設定画面を回転させるのである。具体的には、利用者がプロジェクタ１００の背面１００ｂに向かい合うように立っている場合（すなわち利用者４００ｂの場合）に利用者に見えやすい表示（設定画面Ｗｂ）を基本表示としたとき、その基本表示画面を時計回りに９０度回転させるのである。このようにすることで、利用者４００ｌからすれば、見やすいように設定画面が表示されることになる。
【００７１】
また、例えば利用者がプロジェクタ１００の右側から手を近づける動作を行った場合にも同様の処理が行われる。すなわち、この場合は、検知部１２ｒによっって利用者の動作が検知され、ＣＰＵ１０は、プロジェクタ１００の右側面１００ｒ（図１０参照）に向かい合うようにして立って操作する利用者４００ｒに見やすいように、基本表示の設定画面Ｗｂを、この場合は反時計回りに９０度回転させて表示する。プロジェクタ１００の背面１００ｂから手を近づける動作を行った場合には、基本表示の設定画面Ｗｂが表示される。
【００７２】
以上説明したように、本実施の形態３によれば、どの位置から操作しても、常に見やすい表示が行われるため、使い勝手の良いプロジェクタ１００を得ることができる。
【００７３】
なお、上記実施の形態では、設定項目として、台形補正、音量調整、投写画像の明るさ調整、入力ソースの切替の例を挙げて説明したが、これらだけに限られたものではなく、他に例えば、コントラスト調整や、ブライトネス調整、色の濃さの調整、色合い調整、シャープネス調整、アスペクト比の選択など、各種の項目などが設定できる。
【００７４】
また、上記実施の形態では、増減により調整するためのアイコンとして、スクロールバーを例に挙げて説明したが、これに限られたものではなく、例えば増加キー（＋キー）や減少キー（−キー）などとしても良い。
【００７５】
また、上記実施の形態では、第２のアイコン表示領域を第１のアイコン毎に設けるのようにしていたが、図１２に示すように、全ての第１のアイコンに共通して１つだけその領域を設けるようにしても良い。このようにすることは、表示部１１の外形が小型な場合に有効である。
【００７６】
また、上記実施の形態では、表示部１１を液晶表示部で構成した場合を説明したが、これに限られたものではなく、例えば蛍光表示管や、ＦＬ表示管で構成しても良い。
【００７７】
ところで、上記実施の形態では、液晶パネルがＲＧＢ信号にそれぞれ対応して３個枚設けられた３板式プロジェクタを例に説明したが、本発明のプロジェクタは、他の個数の液晶パネルを採用することも可能であり、例えば、液晶パネルを１枚使用したいわゆる単板式プロジェクタとすることもできる。
また、液晶パネルは、光を透過して変調する透過型のものであったが、入射した光を反射しつつ変調して出射する反射型のものであってもよい。
【図面の簡単な説明】
【図１】本発明の実施の形態１に係るプロジェクタの外観斜視図。
【図２】プロジェクタの主な構成を示すブロック図。
【図３】プロジェクタの光学系を示す構成図。
【図４】音量調整を行う場合の画面遷移を示す図。
【図５】明るさ調整を行う場合の画面遷移を示す図。
【図６】台形補正を行う場合の画面遷移を示す図。
【図７】入力ソースの切替を行う場合の画面遷移を示す図。
【図８】実施の形態２の動作を説明するための画面遷移を示す図。
【図９】実施の形態２の動作を説明するための別の画面遷移を示す図。
【図１０】実施の形態３のプロジェクタの外観斜視図。
【図１１】実施の形態３の動作を説明するための画面遷移を示す図。
【図１２】第２のアイコン表示領域を共通化した場合の画面を示す図。
【符号の説明】
１０  ＣＰＵ（制御部）、１１  表示部、１２  検知部、１００  プロジェクタ、３００〜３０３  第１のアイコン、３１０〜３１３  第２のアイコン表示領域、  ３１１ａ，３１２ａ，３２０，３３０  第２のアイコン。
【図１】
2005017495.tif 000003
【図２】
2005017495.tif 000004
【図３】
2005017495.tif 000005
【図４】
2005017495.tif 000006
【図５】
2005017495.tif 000007
【図６】
2005017495.tif 000008
【図７】
2005017495.tif 000009
【図８】
2005017495.tif 000010
【図９】
2005017495.tif 000011
【図１０】
2005017495.tif 000012
【図１１】
2005017495.tif 000013
【図１２】
2005017495.tif 000014